(57)【要約】【課題】  ファン等の盤内付属装置を電気機器収納箱内に角度及び位置を調節して取り付けできる盤内付属装置取付金具を提供する。【解決手段】  盤内付属装置であるファン２の外郭側壁２１を２個の固定具である取付ねじ３により固定支持する支持腕板部１に、円弧状長孔部４１と該円弧状長孔部４１の内円弧側に直線状長孔部４２を連通させて配置してなる取付孔４を設ける。【選択図】  図１
2005317762.tif 000002
【特許請求の範囲】
【請求項１】
盤内付属装置の外郭側壁を２個の固定具により固定支持する支持腕板部に、円弧状長孔部と該円弧状長孔部の内円弧側に直線状長孔部を連通させて配置してなる取付孔を設けたことを特徴とする盤内付属装置取付金具。
【請求項２】
円弧状長孔部と該円弧状長孔部の内円弧側に直線状長孔部を連通させて配置してなる取付孔の複数個を支持腕板部に並設した請求項１に記載の盤内付属装置取付金具。
【請求項３】
円弧状長孔部と該円弧状長孔部の内円弧側に直線状長孔部を連通させて配置してなる取付孔の複数個を支持腕板部に並設し連結長孔部により連通させた請求項１に記載の盤内付属装置取付金具。
【請求項４】
盤内付属装置の外郭側壁を２個の固定具により固定支持する支持腕板部に、円弧状長孔部と該円弧状長孔部の内円弧側に直線状長孔部を連通させて配置してなる第一取付孔と、円弧状長孔部の外円弧側に直線状長孔部を連通させて配置してなる第二取付孔とを支持腕板部に該第二取付孔の円弧状長孔部と第一取付孔の直線状長孔部を隣り合うように並設した盤内付属装置取付金具。
【発明の詳細な説明】
【技術分野】
【０００１】
本発明は、分電盤、配電盤、通信盤等の電気機器収納箱内に配置した電気・電子機器類に直接風を当てて冷却したり、電気・電子機器類の収納密度が高い電気機器収納箱内の空気を循環させるためのファン等の盤内付属装置を電気機器収納箱内に取り付けるために使用する盤内付属装置取付金具に関するものである。
【背景技術】
【０００２】
電気機器収納箱内に盤内付属装置、例えばファンを取り付けるための取付金具としては、特許文献１の図５に示すような、取付部としたベースに傾斜角度を自在としたファンユニット保持部にファンユニットを装着させるものがある。
【０００３】
この特許文献１に示すものは、ベースとファンユニット保持部を一軸で保持することによりファンユニットを任意な取付角度に設定できるものとしている。ところが、この一軸による保持ではファンユニットのベースに対する高さ位置を調節できず、目的の電気・電子機器類に適切に風を当てることができない場合があるという問題点があった。
【特許文献１】特開２０００−７７８７５公開特許公報（図５）
【発明の開示】
【発明が解決しようとする課題】
【０００４】
本発明はこのような問題点を解決したものとして、盤内付属装置が最も適切な角度及び高さで確実に電気機器収納箱に取り付けられるように、角度及び高さ位置を調節して取り付けることができる盤内付属装置取付金具を提供することである。
【課題を解決するための手段】
【０００５】
本発明の盤内付属装置取付金具は、盤内付属装置の外郭側壁を２個の固定具により固定支持する支持腕板部に、円弧状長孔部と該円弧状長孔部の内円弧側に直線状長孔部を連通させて配置してなる取付孔を設けたことを特徴とするものを請求項１に記載の発明とし、この発明において、円弧状長孔部と該円弧状長孔部の内円弧側に直線状長孔部を連通させて配置してなる取付孔の複数個を支持腕板部に並設したものを請求項２に記載の発明とし、また、前記請求項１に記載の発明において、円弧状長孔部と該円弧状長孔部の内円弧側に直線状長孔部を連通させて配置してなる取付孔の複数個を支持腕板部に並設し連結長孔部により連通させたものを請求項３に記載の発明とする。さらに、盤内付属装置の外郭側壁を２個の固定具により固定支持する支持腕板部に、円弧状長孔部と該円弧状長孔部の内円弧側に直線状長孔部を連通させて配置してなる第一取付孔と、円弧状長孔部の外円弧側に直線状長孔部を連通させて配置してなる第二取付孔とを支持腕板部に該第二取付孔の円弧状長孔部と第一取付孔の直線状長孔部を隣り合うように並設したものを請求項４に記載の発明とする。
【発明の効果】
【０００６】
請求項１に記載の発明は、盤内付属装置の外郭側壁を２個の固定具により固定支持する支持腕板部に設けた取付孔が、円弧状長孔部と該円弧状長孔部の内円弧側に直線状長孔部を連通させて配置したものであるから、盤内付属装置の外郭側壁に設けた２箇所の固定部に固定させる２個の固定具は、取付孔内を移動することができるので、盤内付属装置は支持腕板部の脚板部を基準とする高さ位置も変更できる上、支持腕板部に対して任意の取付角度をとることができる。さらに、２個の固定具で締付固定することにより、盤内付属装置に偶発的にかかる外力に対しても所期の取付角度が保持できるものである。
【０００７】
また、請求項２に記載の発明は、円弧状長孔部と該円弧状長孔部の内円弧側に直線状長孔部を連通させて配置してなる取付孔の複数個を支持腕板部に並設したものであるから、盤内付属装置の外郭側壁に設けた２箇所の固定部に固定させる２個の固定具をどちらか一方の取付孔に挿通させることにより、盤内付属装置の支持腕板部に対して取付角度を任意とすることができるとともに、取付孔を選択することにより支持腕板部の脚板部を基準とする高さ位置も変更することができる。また、２個の固定具により支持腕板部に固定支持するものであるから、１個の固定具を取り外さずに支持位置を変更することができるので、作業時に盤内付属装置を落下させる虞れのないものである。さらに、２個の固定具を複数の取付孔に跨るようにすれば、盤内付属装置は複数の取付孔の中間位置において取り付けることもできるものである。
【０００８】
また、請求項３に記載の発明は、円弧状長孔部と該円弧状長孔部の内円弧側に直線状長孔部を連通させて配置してなる取付孔を複数個、支持腕板部に並設し連結長孔部により連通させたものであるから、盤内付属装置の外郭側壁に設けた２箇所の固定部に固定させる固定具をゆるく固定させた状態とすることにより、複数の取付孔に亘り自由に移動させることができ、盤内付属装置の支持腕板部に対して取付角度を任意とすることができるとともに、固定具を取り外すことなく支持腕板部の取付基板部を基準とする高さ位置も変更することができるものである。
【０００９】
さらに、請求項４に記載の発明は、盤内付属装置の外郭側壁を２個の固定具により固定支持する支持腕板部に、円弧状長孔部と該円弧状長孔部の内円弧側に直線状長孔部を連通させて配置してなる第一取付孔と、円弧状長孔部の外円弧側に直線状長孔部を連通させて配置してなる第二取付孔とを支持腕板部に該第二取付孔の円弧状長孔部と第一取付孔の直線状長孔部を隣り合うように並設したものであるから、第一取付孔にのみ盤内付属装置の外郭側壁に設けた２箇所の固定部に固定させる２個の固定具を挿通させることにより、ファンの支持腕板部に対して取付角度を任意とすることができるものである。また、第二取付孔の直線状長孔部に２個の取付ねじを挿通させることによりこの直線状長孔部内を移動して高さ位置を変更できるものである。また、支持腕板部の先端側に位置する一方の固定具を第一取付孔の直線状長孔部に、支持腕板部の基端側に位置する他方の固定具を第二取付孔の円弧状長孔部に挿通させれば、一方の固定具を起点に他方の固定具が第二取付孔の円弧状長孔部を移動でき盤内付属装置の支持腕板部に対して取付角度を任意とすることができる。
【発明を実施するための最良の形態】
【００１０】
次に、本発明の好ましい実施の形態を図面に基づき説明する。
先ず、請求項１及び２に記載の発明に対応する図１〜図１０に示す第１の実施形態について説明する。１は盤内付属装置であるファン２の外郭側壁２１を固定具である２個の取付ねじ３により固定支持する支持腕板部であり、該支持腕板部１は基端に折曲形成した脚板部１１をもって電気機器収納箱に設置した機器取付用のベースやレールにねじ止め等の手段に取り付けるものである。
【００１１】
この支持腕板部１にはファン２の外郭側部２１に設けた２個のねじ孔２２に螺合してファン２を支持腕板部１に固定支持させるための前記取付ねじ３を挿通させる取付孔４が円弧状長孔部４１と該円弧状長孔部４１の内円弧側に連通して配置した直線状長孔部４２とにより構成されている。この取付孔４は円弧状長孔部４１が２個のねじ孔２２、２２との間隔の長さを半径としたもので、また、直線状長孔部４２は２個のねじ孔２２、２２の間隔より長いものとし該直線状長孔部４２に前記円弧の支点が位置するものとしている。
【００１２】
前記円弧状長孔部４１と該円弧状長孔部４１の内円弧側に直線状長孔部４２を連通させて配置した取付孔４はこの図示の実施形態にあっては、支持腕板部１に円弧状長孔部４１と該円弧状長孔部４１の内円弧側に直線状長孔部４２を連通させて配置してなる取付孔を２個、該支持腕板部１の脚板部１１に向けて並設しているが、1個の取付孔４としてもよい。
【００１３】
前記したように、取付孔４が１個例えば、図３及び図４に示す２個の取付孔のうち支持板部部１の先端側のみの取付孔４の１個とした場合であっても、ファン２の外郭側壁２１に設けた２箇所のねじ孔２２、２２に螺合させる２個の取付ねじ３、３は、ファン２を支持腕板部１に対して任意の取付角度をとることがでるので、冷却対象である電気・電子機器類に対して最も適した風が当たる角度で取り付けできるものである。また、２個の取付ねじ３、３により支持腕板部１に固定支持するものであるから２個の固定具で締付固定することにより、盤内付属装置に偶発的にかかる外力に対しても１個の取付ねじ３が弛んでも所期の取付角度が保持できるものである。なお、取付孔４を２個の取付孔のうち支持板部部１の基端側のみの取付孔４の１個とした場合であっても、さらに、その中間に１個設けた３個としたものであってもよい。
【００１４】
一方、この図示の実施形態のように、支持腕板部１に円弧状長孔部４１と該円弧状長孔部４１の内円弧側に直線状長孔部４２を連通させて配置してなる取付孔４を２個、該支持腕板部１の脚板部１１に向けて並設したものにあっては、２個の取付孔４を選択することによりファン２の支持腕板部１の取付位置を冷却対象である電気・電子機器類の設置箇所に応じて支持腕板部１の脚板部１１を基準として高さ位置も変更することができ、また、冷却対象である電気・電子機器類に対して最も適した風が当たる角度で取り付けできるものである。また、２個の取付ねじ３、３により支持腕板部１に固定支持するものであるから２個の固定具で締付固定することにより、盤内付属装置に偶発的にかかる外力に対しても所期の取付角度が保持できるものである。さらに、２個の取付孔４、４の間隔をファン２の外郭側壁２１に設けた２箇所のねじ孔２２、２２の間隔より狭いものとすることにより図９に示すようにファン２を両取付孔４、４に亘り取り付けできるものである。
【００１５】
なお、図１、図２に示すようにファン２の外郭側壁２１の両側に対称に２個の支持腕板部１、１を配置して取付ねじ３により固定支持するものであるから、大きさの異なるファンであっても両支持腕板部１、１の間隔を調整することで対応できるものである。また、ファンが小型で軽量のものであれば図１０に示すようにファン２の外郭側壁２１の片側を１個の支持腕板部１により固定保持するものとしてもよい。また、図示のものはファン２の外郭側壁２１に直接ねじ孔２２を形成せずにファン２の外郭前後面２３の４隅に取り付けたガード網取用ねじ２４を利用して設置した補助金具５にねじ孔２２を形成したものであるので、大きさの異なるファンにも対応できるが、ファン２の外郭側壁２１に直接ねじ孔２２を形成したものであってもよい。
【００１６】
続いて、請求項３に記載の発明に対応する図１１〜図１３に示す第２の実施形態について説明する。１はファン２の外郭側壁２１を２個の取付ねじ３により固定支持する支持腕板部であり、該支持腕板部１は基端に折曲形成した脚板部１１をもって電気機器収納箱に設置した機器取付用のベースやレールにねじ止め等の手段に取り付けるものであること、及び、この支持腕板部１にはファン２の外郭側部２１に設けた２個のねじ孔２２に螺合してファン２を支持腕板部１に固定支持させるための前記取付ねじ３を挿通させる取付孔４が円弧状長孔部４１と該円弧状長孔部４１の内円弧側に連通して配置した直線状長孔部４２とにより構成されていること、さらに、この取付孔４は円弧状長孔部４１が２個のねじ孔２２、２２の間の距離を半径としたもので、また、直線状長孔部４２は２個のねじ孔２２、２２の間の距離より長いものとし該直線状長孔部４２に前記円弧の支点が位置しているものとしていることは前記第１の実施形態と同様である。
【００１７】
この第２の実施形態においては、前記円弧状長孔部４１と該円弧状長孔部４１の内円弧側に直線状長孔部４２を連通させて配置した取付孔４の２個を連結長孔部６により連通させたものである。このような構成をとることによりファン２の外郭側壁２１に設けた２箇所のねじ孔２２に取付ねじ３をゆるくして螺合させた状態とすることにより、２個の取付孔４、４に亘り自由に移動させることができ、ファン２の支持腕板部１に対して取付角度を任意とすることができるとともに取付ねじを取り外すことなく、支持腕板部１の脚板部を基準とする高さ位置も変更することができるものである。また、図１１に示すようにファン２の外郭側壁２１の両側に対称に２個の支持腕板部１、１を配置して大きさの異なるファンであっても両支持腕板部１、１の間隔を調整することで対応できるものとすることがきるが、図１２に示すように２個の支持腕板部１、１を回動固定自在な保持台７に取り付けたうえベースやレールに取り付けて水平角度も調節できるものとしてもよい。
【００１８】
続いて、請求項４に記載の発明に対応する図１４に示す第３の実施形態について説明する。１はファン２の外郭側壁２１を２個の取付ねじ３により固定支持する支持腕板部であり、該支持腕板部１は基端に折曲形成した脚板部１１をもって電気機器収納箱に設置した機器取付用のベースやレールにねじ止め等の手段に取り付けるものであること、及び、この支持腕板部１にはファン２の外郭側部２１に設けた２個のねじ孔２２に螺合してファン２を支持腕板部１に固定支持させるための前記取付ねじ３を挿通させる第一取付孔４が円弧状長孔部４１と該円弧状長孔部４１の内円弧側に連通して配置した直線状長孔部４２とにより構成されていて、第一取付孔４ａは円弧状長孔部４１が２個のねじ孔２２、２２の間の距離を半径としたもので、また、直線状長孔部４２は２個のねじ孔２２、２２の間の距離より長いものとし該直線状長孔部４２に前記円弧の支点が位置しているものとしていることは前記第１の実施形態の取付孔４と同様である。
【００１９】
しかし、この第３の実施形態にあっては、前記第一取付孔４ａと、２個のねじ孔２２、２２の間の距離を半径とした円弧状長孔部４１の外円弧側に直線状長孔部４２を連通させて配置してなる第二取付孔４ｂとの２個を支持腕板部１に該第二取付孔４ｂの円弧状長孔部４１と第一取付孔４ａの直線状長孔部４２を隣り合うように並設したことを特長とするものである。この場合に第二取付孔４ｂの円弧状長孔部４１の円弧の支点が第一取付孔４ａの直線状長孔部４２に位置するものとしている。
【００２０】
このように構成したことにより、第一取付孔４ａにファン２の外郭側壁２１に設けた２箇所のねじ孔２２に螺合させる２個の取付ねじ３、３を挿通させることにより、ファン２の支持腕板部１に対して取付角度を任意とすることができるものである。また、第二取付孔４ｂの直線状長孔部４２に２個の取付ねじ３、３を挿通させることによりこの直線状長孔部４２内を移動して支持腕板部１の脚板部１１を基準に高さ位置を変更できるものである。また、支持腕板部１の先端側に位置する一方の取付ねじ３を第一取付孔４ａの直線状長孔部４２に、支持腕板部１の基端側に位置する他方の取付ねじ３を第二取付孔４ｂの円弧状長孔部４１に挿通させれば、一方の取付ねじ３を起点に他方の取付ねじ３が第二取付孔４ｂの円弧状長孔部４１内を移動できファン２の支持腕板部１に対して取付角度を任意とすることができる。したがって、ファンを冷却対象である電気・電子機器類に対して最も適した風が当たる角度及び位置に調節して取り付けできるものである。なお、この第３の実施形態は盤内付属装置取付金具のみを図示したが、他の構成及び使用例は第１の実施形態と略同様である。なお上記した３つの実施形態では盤内付属装置をいずれもファンとして説明しているが、高さ及び角度を調節して取り付ける必要がある盤内付属装置であれば、何に適用しても良いことはもちろんである。
【図面の簡単な説明】
【００２１】
【図１】第１の実施形態を示す斜視図である。
【図２】第１の実施形態を分解して示す斜視図である。
【図３】第１の実施形態の使用例を示す側面図である。
【図４】第１の実施形態の他の使用例を示す側面図である。
【図５】第１の実施形態の盤内付属装置であるファンを盤内付属装置取付金具に固定支持した一例を示す側面図である。
【図６】第１の実施形態の他の使用例を示す側面図である。
【図７】第１の実施形態の盤内付属装置であるファンを盤内付属装置取付金具に固定支持した一例を示す側面図である。
【図８】第１の実施形態の盤内付属装置であるファンを盤内付属装置取付金具に固定支持した他例を示す側面図である。
【図９】第１の実施形態の盤内付属装置であるファンを支持腕板部に固定支持した他例を示す側面図である。
【図１０】第１の実施形態の盤内付属装置であるファンを盤内付属装置取付金具に片持ち固定支持させた状態を示す斜視図である。
【図１１】第２の実施形態を示す斜視図である。
【図１２】第２の実施形態の他例を示す斜視図である。
【図１３】第２の実施形態の盤内付属装置取付金具を示す正面図である。
【図１４】第３の実施形態の盤内付属装置取付金具を示す正面図である。
【符号の説明】
【００２２】
１  支持腕板部
２  ファン
21  外郭側壁
３  取付ねじ
４  取付孔
4a  第一取付孔
4b  第二取付孔
41  円弧状長孔部
42  直線状長孔部
６  連結長孔部
【図１】
2005317762.tif 000003
【図２】
2005317762.tif 000004
【図３】
2005317762.tif 000005
【図４】
2005317762.tif 000006
【図５】
2005317762.tif 000007
【図６】
2005317762.tif 000008
【図７】
2005317762.tif 000009
【図８】
2005317762.tif 000010
【図９】
2005317762.tif 000011
【図１０】
2005317762.tif 000012
【図１１】
2005317762.tif 000013
【図１２】
2005317762.tif 000014
【図１３】
2005317762.tif 000015
【図１４】
2005317762.tif 000016